(57)【要約】【課題】メモが付加された原稿をコピーしたとき、メモがわかるように印刷物にメモを残す。【解決手段】画像読取部が、メモとしての付箋４０が貼られた原稿４１の画像を読み取る。機器制御部は、入力された原稿画像から付箋４０の有無を判断する。付箋４０があるとき、機器制御部は、原稿画像から付箋４０のメモ画像を切り出し、タブ紙４２のタブ４３に収まるようにメモ画像を加工する。画像形成部は、メモ画像をタブ４３に印刷するとともに、メモ画像を除く原稿画像をタブ紙４２の定型部分に印刷する。【選択図】図３
2009089294.tif 000002
【特許請求の範囲】
【請求項１】
メモが付加された原稿を読み取る画像読取部と、読み取った原稿画像を印刷する画像形成部と、原稿画像を印刷するとき、原稿画像に含まれるメモ画像をタブ紙のタブに印刷するように画像形成部を制御する制御部とを備えたことを特徴とする画像処理装置。
【請求項２】
画像形成部は、メモ画像を除く原稿画像をタブ紙に印刷するとともに、メモ画像をタブに収まるように印刷することを特徴とする請求項１記載の画像処理装置。
【請求項３】
制御部は、原稿中のメモを認識して、原稿画像からメモ画像を切り出す切出部を有し、制御部は、タブに応じてメモ画像を加工することを特徴とする請求項２記載の画像処理装置。
【請求項４】
メモは、原稿に貼り付けられた付箋とされ、切出部は、原稿画像から付箋に対応する領域の画像をメモ画像として切り出すことを特徴とする請求項３記載の画像処理装置。
【請求項５】
切出部は、付箋の色に基づいてメモ画像を検出することを特徴とする請求項４記載の画像処理装置。
【請求項６】
制御部は、原稿を読み取るときに、付箋の色を設定することを特徴とする請求項５記載の画像処理装置。
【請求項７】
画像読取部は、原稿のサイズよりも大きい領域を読み取ることを特徴とする請求項４記載の画像処理装置。
【請求項８】
制御部は、メモ画像を表示部に表示させることを特徴とする請求項１〜７のいずれかに記載の画像処理装置。
【請求項９】
制御部は、表示部に表示された画像に基づいてメモ画像を変更することを特徴とする請求項８記載の画像処理装置。
【請求項１０】
制御部は、表示されたメモ画像を変形し、変形後のメモ画像を画像形成部に出力することを特徴とする請求項８記載の画像処理装置。
【発明の詳細な説明】
【技術分野】
【０００１】
本発明は、タブ紙に印刷可能な画像処理装置に関する。
【背景技術】
【０００２】
画像が印刷される用紙において、定型サイズの用紙の端縁の一部に見出し用のタブが付いたタブ紙がある。このタブ紙に画像を印刷する画像処理装置が従来より知られている。例えば、特許文献１に記載のように、指定された画像がタブ紙のタブに印刷される。
【特許文献１】特開２００４−３２２５２６号公報
【発明の開示】
【発明が解決しようとする課題】
【０００３】
ところで、原稿にメモを書く場合、付箋を貼ることがある。このような付箋付きの原稿をコピーすると、付箋に書かれたメモもコピーされる。この場合、原稿画像とメモ画像とが一体となって、用紙に印刷される。そのため、ユーザは、メモの存在に気付かないおそれがある。
【０００４】
メモが付加された原稿をコピーするとき、タブ紙を使用すれば、タブを付箋の代用にでき、メモがわかるようになる。そこで、本発明は、上記に鑑み、原稿に付加されたメモをタブ紙のタブに印刷できる画像処理装置の提供を目的とする。
【課題を解決するための手段】
【０００５】
本発明は、メモが付加された原稿を読み取る画像読取部と、読み取った原稿画像を印刷する画像形成部と、原稿画像を印刷するとき、原稿画像に含まれるメモ画像をタブ紙のタブに印刷するように画像形成部を制御する制御部とを備えたものである。
【０００６】
メモを有する原稿は、タブ紙にコピーされる。このとき、メモ画像だけがタブにコピーされる。すなわち、画像形成部は、メモ画像を除く原稿画像をタブ紙に印刷するとともに、メモ画像をタブに収まるように印刷する。メモが目立つ印刷物を作成することができるので、原稿がコピーされたとき、メモが埋没して、その存在がわからなくなってしまうことを防止できる。
【０００７】
制御部は、原稿中のメモを認識して、原稿画像からメモ画像を切り出す切出部を有し、制御部は、タブに応じてメモ画像を加工する。通常、メモは目立つような状態で存在する。例えば、メモとして貼り付けられた付箋であったり、色を付けてマーキングされている。切出部は、メモの特徴的な形態に基づいて、原稿中からメモのあるメモエリアを特定することにより、メモの存在を認識する。このようにして、メモを自動的に認識することができる。
【０００８】
そして、メモエリア内の画像をメモ画像として切り出す。制御部は、切り出されたメモ画像に対して、例えば、メモ画像を縮小したり、回転したりする加工を行う。これによって、タブの大きさや位置に合わせたメモ画像が形成され、タブにメモ画像が収まる。
【０００９】
メモが原稿に貼り付けられた付箋の場合、切出部は、原稿画像から付箋に対応する領域の画像をメモ画像として切り出す。付箋に対応する領域がメモエリアとなる。このメモエリアを特定するために、切出部は、付箋の色に基づいてメモ画像を検出する。付箋は、目立つように色が付けられている。そこで、この特徴的な形態を利用して、メモエリアが検出される。
【００１０】
制御部は、原稿を読み取るときに、付箋の色を設定する。付箋付きの原稿をコピーするとき、付箋の色はわかっている。コピー前に、この付箋の色を設定することにより、メモ画像を確実に切り出すことができる。
【００１１】
画像読取部は、原稿のサイズよりも大きい領域を読み取る。付箋が原稿に貼られているとき、付箋は原稿からはみ出している場合がある。これに対応できるように、原稿サイズよりも大きい領域を読み取ることにより、付箋のメモ画像を全て読み取ることができる。
【００１２】
制御部は、メモ画像を表示部に表示させる。コピーされる前に、ユーザは、メモ画像を確認することができる。そこで、制御部は、表示部に表示された画像に基づいてメモ画像を変更する、さらに表示されたメモ画像を変形する。メモ画像の変更は、メモエリアを移動する。メモエリア内の画像が変わることにより、メモ画像が変更される。メモ画像の変形は、メモ画像に対して拡大、縮小、回転等の加工を行う。そして、制御部は、変更後のメモ画像あるいは変形後のメモ画像を画像形成部に出力する。
【００１３】
ユーザは、任意にメモ画像を変えることができる。メモ画像の修正や不要な部分の削除を行うことができ、必要なメモをコピーされた印刷物に残せる。
【発明の効果】
【００１４】
本発明によると、メモが付加された原稿をコピーするとき、自動的にタブ紙に原稿画像が印刷される。そして、メモはタブ紙のタブにコピーされるので、コピーにより作成された印刷物であっても、メモが一目でわかるように目立たせることができる。
【発明を実施するための最良の形態】
【００１５】
本実施形態の画像処理装置を図１に示す。本画像処理装置は、コピー、プリント、スキャン、ファクシミリ通信およびドキュメントファイリングを行うデジタル複合機である。画像処理装置は、原稿を読み取って画像を入力する画像読取部１と、ユーザの入力を受け付ける操作部２と、入力された画像の印刷を行う画像形成部３と、画像を保存するハードディスク装置４と、外部装置とのデータ通信を行う通信部５と、ファクシミリ装置６と通信するためのＦＡＸモデム７と、装置全体の制御情報や設定情報等を記憶している管理部８と、装置全体の制御を司るＣＰＵからなる機器制御部９とを備えている。
【００１６】
画像読取部１は、ＣＣＤ１０といった撮像素子と、原稿台や自動原稿送り装置（ＡＤＦ）にセットされた原稿を検知する原稿検知センサ１１とを有する。原稿検知センサ１１により、原稿が検出されると、ＣＣＤ１０は、信号発生回路１０ａからの信号に同期して、原稿の画像を読み取りる。読み取られた画像は画像形成部３に出力される。複数ページの原稿の場合、画像読取部１は、１ページずつ読み取っていく。
【００１７】
操作部２は、各種入力キーからなる入力部１２と、液晶ディスプレイ等の表示部１３とを有し、これらは操作パネルに設けられる。なお、表示部１３は、タッチパネルとされ、入力部としても機能する。操作部２において、装置全体の操作指示や各種設定の入力が行われ、入力内容や装置全体の動作状況が表示される。
【００１８】
画像形成部３は、入力された画像データを記憶する揮発性のメモリ２０と、レーザ走査ユニット（ＬＳＵ）を有する印字部２１と、手差しトレイ、カセットトレイを備えた給紙部２２と、排紙トレイを備えた排紙部２３と、暗号化復号化部２４とを有する。
【００１９】
メモリ２０は、入力された画像を一時的に蓄積する。画像処理部２５は、メモリ２０内の画像に対して、圧縮、伸張、加工等の画像処理を行う。画像処理された画像は、印字部２１、ハードディスク装置４あるいは機器制御部９に出力される。
【００２０】
ハードディスク装置４は、入力された画像を一時的に記憶する。暗号化復号化部２４は、画像に対して暗号化処理あるいは復号化処理を行う。ハードディスク装置４に画像を記憶するとき、暗号化復号化部２４によって、画像が暗号化される。また、ハードディスク装置４から画像を読み出すとき、暗号化復号化部２４によって、画像が復号化され、画像は、一旦メモリ２０に記憶される。なお、画像を記憶する記憶部として、ハードディスク装置４を設けているが、この代わりに、不揮発性のメモリ、バックアップ機能付きのメモリ、光ディスクといった光学記憶媒体を利用してもよい。
【００２１】
印字部２１では、電子写真方式により印刷を行う。画像がレーザ走査ユニットに入力されると、レーザ光により感光体表面が走査され、静電潜像が感光体上に形成される。静電潜像がトナーによって現像され、感光体上にトナー像が形成される。給紙部２２から供給された用紙にトナー像が転写され、トナー像が用紙上に定着される。このように画像が印刷された用紙は、排紙トレイに排出される。
【００２２】
消去部２６は、ハードディスク装置４に記憶された画像を消去する。コピー等の処理が終了したとき、画像は消去される。このとき、消去部２６は、ランダムなデータや無意味なデータを上書きしたりして、記憶されていた画像を読み取り不可能にして、元の画像を再現できないように無効化する。
【００２３】
通信部５は、ＬＡＮケーブルを介してルータ、スイッチングハブ等に接続され、パソコン、サーバ等の情報処理装置３０や他の画像処理装置といった外部装置によって形成されたネットワークと接続される。ネットワークは、電話回線網や光ファイバ等の通信回線を介してインターネットに接続される。通信部５は、ネットワーク内の情報処理装置３０や画像処理装置とデータの送受信を行うとともに、インターネットを通じて外部の情報処理装置３０とデータや電子メールの送受信を行う。さらに、インターネットを通じてファクシミリ装置３１とインターネットファクシミリ通信も行う。ＦＡＸモデム７は、電話線を介して電話回線網に接続され、外部のファクシミリ装置６とファクシミリ通信を行う。
【００２４】
通信部５およびＦＡＸモデム７は、情報処理装置３０やファクシミリ装置６、３１といった外部装置から画像を受信して入力する。また、通信部５およびＦＡＸモデム７は、画像を外部装置に送信する。
【００２５】
機器制御部９は、入力された画像に対してユーザによって指示された処理を実行する。すなわち、操作部２からの入力や外部装置からのデータ入力に応じて、管理部８に記憶されている情報に基づいて各部を制御して、入力された画像を処理する。すなわち、コピー、プリント、スキャン、ファクシミリ通信、ドキュメントファイリングといった処理が実行され、画像が所望の形態で出力される。
【００２６】
コピーを行う場合、画像読取部１により読み取られた原稿の画像は、ハードディスク装置４に一時的に記憶される。そして、ハードディスク装置４の画像が所定のタイミングで読み出される。ハードディスク装置４から暗号化された画像を読み出すとき、暗号化復号化部２４は、画像を復号化する。この画像は、一旦メモリ２０に記憶される。操作部２から入力された指示にしたがって、画像処理部２５は、画像に対して画像処理を行う。
【００２７】
メモリ２０に記憶された画像は、レーザ走査ユニットの書き込みタイミングに合わせて、メモリ２０から印字部２１に転送される。画像が複数のページからなる場合、ページ毎に画像が順次転送される。印字部２１により、画像が供給された用紙に印刷され、用紙が排紙トレイに排出される。
【００２８】
プリントを行う場合、通信部５が外部装置からの画像を受信すると、機器制御部９は、入力された画像をページ単位でメモリ２０に一旦蓄積してから、ハードディスク装置４に記憶させる。機器制御部９は、ハードディスク装置４から読み出した画像をメモリ２０に転送し、画像形成部３を制御して印刷を行う。１ページずつ画像が用紙に印刷される。
【００２９】
スキャンを行う場合、画像読取部１は、原稿の画像を読み取り、機器制御部９は、入力された画像をハードディスク装置４に記憶させる。そして、機器制御部９は、ハードディスク装置４から画像を読み出して、指定された外部装置宛に画像を出力する。通信部５は、指定された外部装置との通信を確立して、画像を送信する。
【００３０】
ファクシミリによる送信を行う場合、機器制御部９は、画像読取部１から入力された画像をＦＡＸモデム７に出力する。ＦＡＸモデム７は、指定されたファクシミリ装置６と通信を確立して、符号化した画像をファクシミリ装置６に送信する。
【００３１】
さらに、ファクシミリによる受信を行う場合、ＦＡＸモデム７は、ファクシミリ装置６からの着呼を受けると、発呼側のファクシミリ装置６との通信を確立し、画像を受信して、画像を復号化する。機器制御部９は、ＦＡＸモデム７を通じて入力された画像を一旦メモリ２０に蓄積してから、ハードディスク装置４に記憶させる。そして、機器制御部９は、ハードディスク装置４から読み出した画像を印字部２１に転送する。印字部２１は、画像を用紙に印刷する。
【００３２】
ドキュメントファイリングを行う場合、機器制御部９は、画像読取部１あるいは通信部５を通じて入力された画像をハードディスク装置４に記憶させる。このとき、画像は、暗号化されて記憶される。
【００３３】
ここで、ユーザは、原稿に対してメモ書きすることがある。図２（ａ）に示すように、メモ書きのために、付箋４０が使用され、付箋４０が原稿４１に貼り付けられる。本画像処理装置では、このように付箋４０が貼られた原稿４１、すなわちメモが付加された原稿４１を図２（ｂ）に示すタブ紙４２にコピー可能とされる。タブ紙４２は、定型サイズの用紙の１辺にタブ４３が突出して形成されたものである。
【００３４】
メモの書かれた付箋４０が貼り付けられた原稿４１のコピーを付箋コピーと称する。付箋コピーするとき、機器制御部９は、付箋４０のメモ画像をタブ紙４２のタブ４３に印刷するように画像形成部３を制御する。付箋コピーのために、機器制御部９は、原稿４１中のメモを認識して、原稿画像からメモ画像を切り出す切出部を有する。切出部は、付箋４０の色に基づいて、原稿画像に含まれるメモ画像を検出して、メモ画像を有するメモエリアを特定する。
【００３５】
一般的に、付箋４０には色が付いているという特徴的な形態を有する。切出部は、この形態にしたがって、原稿画像中に定形の地色を有するエリアがあるかを探す。このエリアが見つかれば、メモ画像があると判断して、メモエリアを特定する。そして、メモエリア内の画像をメモ画像として切り出す。したがって、メモ画像は、カラー画像であり、コメントが書かれている場合には、文字や記号といったテキストデータを含む。
【００３６】
なお、付箋４０の色は多様であるので、予めユーザが操作部２を通じて付箋４０の色を入力しておくとよい。機器制御部９は、入力された色を付箋４０の色として設定する。切出部は、メモ画像を検出するとき、設定された色に基づいて、同色のメモエリアを探す。
【００３７】
そして、機器制御部９は、切り出されたメモ画像がタブ紙４２のタブ４３に収まるように、メモ画像の印刷条件を決定する。すなわち、タブ紙４２のタブ４３の大きさとメモ画像の大きさとに基づいて、メモ画像に対して回転、傾き、縮小、拡大といった変形を行うとともに、タブ４３の位置に応じてメモ画像の印刷位置を設定する。なお、使用するタブ紙４２は標準タイプのものとすることにより、タブ４３の大きさおよび位置を予め設定することができる。図３に示すように、画像形成部３は、メモ画像を除く原稿画像をタブ紙４２の定型部分に印刷するとともに、メモ画像をタブ４３に印刷する。
【００３８】
上記の付箋コピーを行うときの動作を図４にしたがって説明する。ユーザが原稿４１を原稿台にセットする。画像読取部１は、原稿４１の画像を読み取る（Ｓ１）。機器制御部９は、入力された原稿画像に基づいて、付箋４０が貼られた原稿４１であるか否かを判断する（Ｓ２）。すなわち、機器制御部９は、原稿画像に地色のある画像が含まれているかを検出する。
【００３９】
付箋のない原稿４１の場合、機器制御部９は、入力された原稿画像を印刷するように画像形成部３を制御する。原稿画像が通常の定型用紙に印刷されて、通常のコピーが行われる（Ｓ５）。
【００４０】
付箋４０のある原稿４１の場合、機器制御部９は、原稿画像からメモ画像を切り出し（Ｓ３）、タブ紙４２のタブ４３に収まるようにメモ画像を加工する。機器制御部９は、原稿画像およびメモ画像を印刷するように画像形成部３を制御する。画像形成部３は、タブ紙４２が収容されたカセットトレイからタブ紙４２を供給し、メモ画像をタブ４３に印刷する（Ｓ４）とともに、原稿画像をタブ紙４２の定型部分に通常通り印刷する（Ｓ５）。なお、印刷される原稿画像は、メモ画像を削除した画像であり、タブ紙４２の定型部分にメモ画像は印刷されない。
【００４１】
このように、付箋４０が貼られた原稿４１をコピーするとき、付箋４０に書かれたメモがタブ紙４２のタブ４３にコピーされる。そのため、コピーされたタブ紙４２のタブ４３が付箋４０として機能し、メモを目立つように印刷物に残すことができる。これにより、メモの存在を強調でき、メモの効用を継続できる。しかも、ユーザは印刷物に付箋４０を貼る必要がなくなり、ユーザの手間を省ける。
【００４２】
ここで、原稿検知センサ１１は、原稿４１のサイズを自動的に検出する。原稿４１に付箋４０が貼られているとき、付箋４０は原稿４１から少しだけはみ出している場合が多い。しかし、原稿検知センサ１１は、はみ出している付箋４０を検出できないので、画像読取部１は、検出された原稿サイズに応じた領域を読み取る。その結果、付箋４０のメモ画像を完全に読み取ることができない。そこで、画像読取部１は、付箋コピーを行うとき、検出された原稿サイズよりも大きい領域を読み取る。これにより、付箋４０の画像を確実に読み取ることができる。
【００４３】
なお、付箋コピーを実行するために、操作部２に付箋キーが設けられる。ユーザが付箋キーを操作すると、機器制御部９は、付箋コピーを実行する。
【００４４】
また、ユーザがメモ画像を確認できるように、機器制御部９は、メモ画像を表示させる。機器制御部９は、切り出したメモ画像を表示するように表示部１３を制御する。このとき、機器制御部９は、メモ画像の変更および変形を可能とする。
【００４５】
図５に示すように、表示部１３の画面に、メモエリアＡを含む原稿画像の一部が表示される。特定されたメモエリアＡが付箋に対応していないとき、ユーザは、画面を見て、タッチパネル上でメモエリアＢを指定する。例えば、枠で囲むことにより、メモエリアＢを指定する。すなわち、メモエリアがＡからＢに移動することにより、メモエリア内の画像も変化し、メモ画像が変更される。機器制御部９は、変更されたメモ画像を記憶する。
【００４６】
さらに、ユーザは、画面のメモ画像に対して、拡大、回転等の変形を行う。機器制御部９は、変形されたメモ画像を記憶する。このように、変更あるいは変形されたメモ画像が画像形成部３に出力され、印刷される。したがって、付箋４０に書いたメモを間違いなくメモ画像として印刷することができる。また、メモの不要な箇所を削除することができ、必要なメモだけをタブに印刷することができ、印刷物の管理を的確に行えるようになる。
【００４７】
なお、本発明は、上記実施形態に限定されるものではなく、本発明の範囲内で上記実施形態に多くの修正および変更を加え得ることは勿論である。原稿に付加されるメモとして、原稿に直接メモを書き込み、蛍光ペンやマーカにより、メモをマーキングする場合がある。この場合でも、上記の付箋コピーを行うことができる。すなわち、マーキングすることにより、地色を有するエリアが形成される。機器制御部は、このエリアを検出することにより、メモエリアを特定して、メモ画像を切り出す。また、ユーザが原稿にメモを手書きした場合、原稿画像から手書き文字を検出することにより、メモ画像を切り出してもよい。このように付箋を用いない場合、自動原稿送り装置に複数の原稿をセットして、コピーすることが可能となる。メモが付加された原稿を読み取ったときに、タブ紙へのコピーが行われる。メモのない原稿では、通常のコピーが行われる。
【図面の簡単な説明】
【００４８】
【図１】本発明の画像処理装置の概略構成を示す図
【図２】（ａ）付箋が貼られた原稿を示す図、（ｂ）タブ紙を示す図
【図３】セキュリティ機能に関する情報を表示した操作画面を示す図
【図４】付箋コピーを行うときのフローチャート
【図５】メモ画像の表示画面を示す図
【符号の説明】
【００４９】
１    画像読取部
２    操作部
３    画像形成部
４    ハードディスク装置
５    通信部
９    機器制御部
１２    入力部
１３    表示部
２１    印字部
４０    付箋
４１    原稿
４２    タブ紙
４３    タブ
【図１】
2009089294.tif 000003
【図２】
2009089294.tif 000004
【図３】
2009089294.tif 000005
【図４】
2009089294.tif 000006
【図５】
2009089294.tif 000007